(57)【要約】      （修正有）【課題】長期間にパレットに保存される色、顔料、インクを元通りに保湿できる絵画パレットを提供する。【解決手段】パレット１と、蓋２とを備える顔料、インクの持続的保湿に用いられる絵画パレットであって、パレットがトレイ１．１を備え、トレイの外縁の周方向に間隔を置いて設けられる内環壁１．２及び外環壁１．３が設けられており、内環壁及び外環壁が垂直に設けられ、トレイの表面に垂直であり、内環壁の内部の領域とトレイとの間に顔料置きエリアが形成され、内環壁及び外環壁間の領域とトレイとの間に水槽エリア４が形成され、蓋がトップトレイ２．１を備え、トップトレイの下部に、環状フッティング２．２が設けられていることで、蓋がパレットに合わせて配置される場合、蓋の環状フッティングがパレットの水槽エリアに挿入されて、顔料置きエリア３に封止エリアが形成される。【選択図】図１
0003227215.tif 000002
【実用新案登録請求の範囲】
【請求項１】
パレットと、蓋とを備える顔料、インクの持続的保湿に用いられる絵画パレットであって、前記パレットがトレイを備え、前記トレイの外縁の周方向に間隔を置いて設けられる内環壁及び外環壁が設けられており、前記内環壁及び外環壁が垂直に設けられ、トレイの表面に垂直であり、前記内環壁の内部の領域とトレイとの間に顔料置きエリアが形成され、前記内環壁及び外環壁間の領域とトレイとの間に水槽エリアが形成され、前記蓋がトレイの構造と同様なトップトレイを備え、前記トップトレイの下部に、環状フッティングが設けられていることで、蓋がパレットに合わせて配置される場合、蓋の環状フッティングがパレットの水槽エリアに挿入されて、顔料置きエリアに封止エリアが形成され、前記顔料置きエリアにパレットコアが設けられており、前記トップトレイの内側面の中心に線香挿入中空柱がさらに設けられていることを特徴とする、顔料、インクの持続的保湿に用いられる絵画パレット。
【請求項２】
前記外環壁と環状フッティングの高さが同じであり、前記内環壁の高さが外環壁の高さよりも小さく、蓋がパレットに合わせて配置される場合、前記環状フッティングの外側面とパレット外環壁の内側面とが密接に連結しており、パレットの外環壁の頂部の横断面とトップトレイの底面とが密接に連結しており、蓋の環状フッティングの底部の横断面と水槽エリアの底面とが密接に連結していることで、環状フッティングが水槽エリアに挿入されて水封構造及び効果を形成し、水槽エリアにおける封水がまた顔料置きエリアと連通することを特徴とする、請求項１に記載の顔料、インクの持続的保湿に用いられる絵画パレット。
【請求項３】
前記絵画パレットが単層硯として用いられる場合、単層パレットが蓋に合わせて封止配置されることを特徴とする、請求項２に記載の顔料、インクの持続的保湿に用いられる絵画パレット。
【請求項４】
前記絵画パレットが重ねパレットとして用いられる場合、前記トレイの下部に、蓋における環状フッティングの構造と同様なボトムループの支持脚がさらに設けられており、前記ボトムループの支持脚の外側面が外環壁の内側面と相接することで、複数の絵画パレットが上下に重ねて置かれる場合、上層絵画パレットのボトムループの支持脚が下層絵画パレットの水槽エリアに挿入され、かつ上層絵画パレットのボトムループの支持脚の外側壁と下層絵画パレット外環壁の内側壁とが密接に連結しており、下層パレットの外環壁の頂部の横断面と上層パレットの底面とが密接に連結しており、上層絵画パレットのボトムループの支持脚の底部横断面と下層パレットの水槽エリアの底面とが密接に連結していることで、下層パレットの顔料置きエリアに封止エリアが形成されることを特徴とする、請求項１に記載の顔料、インクの持続的保湿に用いられる絵画パレット。
【請求項５】
前記パレットコアが顔料置きエリアの内面であることを特徴とする、請求項１に記載の顔料、インクの持続的保湿に用いられる絵画パレット。
【請求項６】
前記パレットコアが内環壁に架設され、前記パレットコアが顔料置きエリアの形状に合わせるコアトレイを備え、前記コアトレイの周方向に外に向けて内環壁の頂部と合わせる７字状のコアトレイ壁が設けられていることで、パレットコアが内環壁に架設され、前記コアトレイの底部とトレイの上表面との間にキャビティが形成され、前記内環壁の底部にキャビティと水槽エリアを連通させる通水孔が設けられており、前記コアトレイ壁の頂部の横断面から水槽エリアの底面までの高さが外環壁の高さよりも小さいことを特徴とする、請求項１に記載の顔料、インクの持続的保湿に用いられる絵画パレット。
【請求項７】
前記パレットコアが水槽エリアに係止され、前記パレットコアがコアトレイと、周方向にコアトレイ外側に設けられるコアトレイ壁とを備え、前記コアトレイがコアトレイ壁の中部に水平に設けられることで、パレットコアの断面がＨ字型となり、前記コアトレイ壁の底部が水槽エリアに挿入し、前記コアトレイの底部とトレイの上表面との間にキャビティが形成され、前記内環壁の底部にキャビティと水槽エリアを連通させる通水孔が設けられており、前記コアトレイ壁の高さが外環壁の高さよりも小さいことを特徴とする、請求項１に記載の顔料、インクの持続的保湿に用いられる絵画パレット。
【請求項８】
当該絵画パレットが硯として用いられ、かつ従来の墨で磨りその場でインクを製作する場合、前記パレットコアに墨磨り台が設けられており、
当該絵画パレットが硯として用いられ、かつ製作されたインクで絵を描き、字を書く場合、前記パレットコアに新月形の筆舐が設けられていることを特徴とする、請求項１に記載の顔料、インクの持続的保湿に用いられる絵画パレット。
【請求項９】
前記墨磨り台の一端の外壁が内環壁又はコアトレイ壁と相接することを特徴とする、請求項８に記載の顔料、インクの持続的保湿に用いられる絵画パレット。
【考案の詳細な説明】
【技術分野】
【０００１】
本考案は、絵画用具の技術分野に関し、詳しくは顔料、インクの持続的保湿に用いられる絵画パレットに関する。
【背景技術】
【０００２】
現在、絵画、書道は全ての人々に好まれる芸術形式の一つであり、中国の書道はさらに中国の美学基礎という重要ポジションとして推奨されている。中国の書道及び中国の絵画は、さらに文化の構築及び文化の自信における極めて重要なコア構成要素である。従来、絵画、書道イベントにおいて、特に前回の書道、絵画イベントが終了した際に、パレットに色又はインクが残ることが多く、水で洗浄すると、大きく浪費してしまうことは明確である。例えば、従来のパレットの使用について、洗浄しないまま重ねて収納し、次に使用する際に、前回残った色及びインクが固くなったため、正常に使用できなくなる。長期間に亘り絵画に従事する者は、前回絵画後に残った雑色が多彩であり、非常に珍しく、殆ど複製され得ないことが判明しており、特に唐画分野におけるレベルの高い従事者は非常に雑色を重要視し、上手に使用している。特に、画家は、前日に逸品の絵が出来上がった後、翌日、逸品の絵から残っている良い混合色、雑色を引き続き用いようとするが、従来のパレットを用いるので、この場合、パレット中の残りの雑色は固くなってしまった。このことは、春と夏の２つの季節により顕著になる。パレット中の残った色を引き続き用いようとすると、毛筆で水を付けて混ぜ合わせなければならない。二回目に混ぜ合わせたところ、パレットに保存される多彩な雑色が一つの色に混ぜられ、多彩な雑色としての使用効果及び価値が殆どなくなった。現在の書画業従事者は、再び水で濡れ、１０分間ほど待ってから使用することが多い。長期間待っても、この場合表層の色のみが軟化し潤む。この際に、色に対して、潤い、明るさ、綺麗さを求めることは無理であり、絵画に対する要求が高く、レベルの高い書画業従事者の殆どは、保存された色を洗浄し、改めて色を配置するしかできない。大きな浪費が生じるだけでなく、複雑な色を利用する経験を積むことと、能力を速やかにアップさせることにも不利である点は、初心者にとって、より重要である。逆に、使用し続けると、絵画の品質を犠牲する代価を支払うしかない。従って、当業者にとって、顔料、インクの持続的保湿に用いられる絵画パレットの設計は解決が強く要望されている問題である。
【考案の概要】
【０００３】
上記課題を解決するために、本考案は以下の技術的手段を提供する。パレットと、蓋とを備える顔料、インクの持続的保湿に用いられる絵画パレットであって、前記パレットがトレイを備え、前記トレイの外縁の周方向に間隔を置いて設けられる内環壁及び外環壁が設けられており、前記内環壁及び外環壁が垂直に設けられ、トレイの表面に垂直であり、前記内環壁の内部の領域とトレイとの間に顔料置きエリアが形成され、前記内環壁及び外環壁間の領域とトレイとの間に水槽エリアが形成され、前記蓋がトレイの構造と同様なトップトレイを備え、前記トップトレイの下部に、環状フッティングが設けられていることで、蓋がパレットに合わせて配置される場合、蓋の環状フッティングがパレットの水槽エリアに挿入されて、顔料置きエリアに封止エリアが形成され、前記顔料置きエリアにパレットコアが設けられており、前記トップトレイの内側面の中心に線香挿入中空柱がさらに設けられている顔料、インクの持続的保湿に用いられる絵画パレット。
【０００４】
改善としては、前記外環壁と環状フッティングの高さが同じであり、前記内環壁の高さが外環壁の高さよりも小さく、蓋がパレットに合わせて配置される場合、前記環状フッティングの外側面とパレット外環壁の内側面とが密接に連結しており、パレットの外環壁の頂部の横断面とトップトレイの底面とが密接に連結しており、蓋の環状フッティングの底部の横断面と水槽エリアの底面とが密接に連結していることで、環状フッティングが水槽エリアに挿入されて水封構造及び効果を形成し、水槽エリアにおける封水がまた顔料置きエリアと連通する。
【０００５】
改善としては、前記絵画パレットが単層硯として用いられる場合、単層パレットが蓋に合わせて封止配置される。
【０００６】
改善としては、前記絵画パレットが重ねパレットとして用いられる場合、前記トレイの下部に、蓋における環状フッティングの構造と同様なボトムループの支持脚がさらに設けられており、前記ボトムループの支持脚の外側面が外環壁の内側面と相接することで、複数の絵画パレットが上下に重ねて置かれる場合、上層絵画パレットのボトムループの支持脚が下層絵画パレットの水槽エリアに挿入され、かつ上層絵画パレットのボトムループの支持脚の外側壁と下層絵画パレット外環壁の内側壁とが密接に連結しており、下層パレットの外環壁の頂部の横断面と上層パレットの底面とが密接に連結しており、上層絵画パレットのボトムループの支持脚の底部横断面と下層パレットの水槽エリアの底面とが密接に連結していることで、下層パレットの顔料置きエリアに封止エリアが形成される。
【０００７】
改善としては、前記パレットコアが顔料置きエリアの内面である。
【０００８】
改善としては、前記パレットコアが内環壁に架設され、前記パレットコアが顔料置きエリアの形状に合わせるコアトレイを備え、前記コアトレイの周方向に外に向けて内環壁の頂部と合わせる７字状のコアトレイ壁が設けられていることで、パレットコアが内環壁に架設され、前記コアトレイの底部とトレイの上表面との間にキャビティが形成され、前記内環壁の底部にキャビティと水槽エリアを連通させる通水孔が設けられており、前記コアトレイ壁の頂部の横断面から水槽エリアの底面までの高さが外環壁の高さよりも小さい。
【０００９】
改善としては、前記パレットコアが水槽エリアに係止され、前記パレットコアがコアトレイと、周方向にコアトレイ外側に設けられるコアトレイ壁とを備え、前記コアトレイがコアトレイ壁の中部に水平に設けられることで、パレットコアの断面がＨ字型となり、前記コアトレイ壁の底部が水槽エリアに挿入し、前記コアトレイの底部とトレイの上表面との間にキャビティが形成され、前記内環壁の底部にキャビティと水槽エリアを連通させる通水孔が設けられており、前記コアトレイ壁の高さが外環壁の高さよりも小さい。
【００１０】
改善としては、当該絵画パレットが硯として用いられ、かつ従来の墨で磨りその場でインクを製作する場合、前記パレットコアに墨磨り台が設けられており、
当該絵画パレットが硯として用いられ、かつ製作されたインクで絵を描き、字を書く場合、前記パレットコアに新月形の筆舐が設けられている。
【００１１】
改善としては、前記墨磨り台の一端の外壁が内環壁又はコアトレイ壁と相接する。
【００１２】
以上の構造を用いた後、本考案は下記のメリットを有する。本考案は顔料の持続的保湿に用いられる絵画パレットであり、絵画パレットが上下に重ねて置かれる場合、上層絵画パレットのボトムループの支持脚は下層絵画パレットの水槽エリアに挿入し、水を封止媒介として、色、顔料、インクを一つの密閉空間に封止させる。水は封止剤でもあり、保湿剤でもある。このような設計では、既存のパレット及び中国の従来の硯が長期間に亘り継続的に使用されない時に保存される色、顔料、インクが固くなるという問題を解決し、長期間にパレットに保存される色、顔料、インクを元通りに保湿でき、残った色、顔料、インクを繰り返して洗浄することによる大きな浪費を避け、大きな経済的利益を有する。特に前回絵画が終了時に残った多彩な雑色は持続的に保湿され、従来通りに保存され得、次回に絵画時にそのまま使用できる。これはレベルの高い絵画業者にとって非常に得難く、かつ珍しいことである。色の使用経験及び色感の蓄積において絵画従事者を助けることについて、従来の絵画用具はそれと比べることができない。当該絵画パレットが硯として用いられ、かつ従来の墨で墨を磨り絵を描き、字を書く場合、墨磨り台及び絵画パレットが一体的に製造され、従来の墨で墨を磨り字を書き、絵を描く者に技術的サポートを提供した。当該絵画パレットが硯として用いられ、かつ直接、製作されたインクで字を書き、絵を描く場合、パレットコアに筆舐が設けられており、ユーザは筆の先を整える必要がある場合、水槽の縁において筆の先を整えることを避け、このように、水槽を清潔に保つことに寄与する。本考案は使用しやすく、浪費を避け、節約及び環境保護に寄与し、特にプロの絵画、書道業者が優れた作品を作成することに有利である。青少年書道、絵画の経験及び色感力の蓄積、向上について、従来の絵画パレット及び硯がそれと比べることができない優位性を有するので、広く普及及び利用されるべきである。
【図面の簡単な説明】
【００１３】
【図１】本考案に係る顔料、インクの持続的保湿に用いられる絵画パレットの実施例１が重ねパレットとして用いられる場合の概略構成図である。
【図２】本考案に係る顔料、インクの持続的保湿に用いられる絵画パレットの実施例１が単層硯として用いられる場合の概略構成図である。
【図３】本考案に係る顔料、インクの持続的保湿に用いられる絵画パレットの実施例２が重ねパレットとして用いられる場合の概略構成図である。
【図４】本考案に係る顔料、インクの持続的保湿に用いられる絵画パレットの実施例２が単層硯として用いられる場合の概略構成図である。
【図５】本考案に係る顔料、インクの持続的保湿に用いられる絵画パレットの実施例３が重ねパレットとして用いられる場合の概略構成図である。
【図６】本考案に係る顔料、インクの持続的保湿に用いられる絵画パレットの実施例３が単層硯として用いられる場合の概略構成図である。
【図７】本考案に係る顔料、インクの持続的保湿に用いられる絵画パレットが墨磨り台を設ける場合の概略構成図である。
【図８】本考案に係る顔料、インクの持続的保湿に用いられる絵画パレットが筆舐を設ける場合の概略構成図である。
【考案を実施するための形態】
【００１４】
実施例１
図１、図２を参照する。パレット１と、蓋２とを備える顔料、インクの持続的保湿に用いられる絵画パレットであって、前記パレット１がトレイ１．１を備え、前記トレイ１．１の外縁の周方向に間隔を置いて設けられる内環壁１．２と外環壁１．３が設けられており、前記内環壁１．２と外環壁１．３が垂直に設けられ、トレイ１．１の表面に垂直であり、前記内環壁１．２の内部の領域とトレイ１．２との間に顔料置きエリア３が形成され、前記内環壁１．２及び外環壁１．３間の領域とトレイ１．１との間に水槽エリア４が形成され、前記蓋２がトレイ１．１の構造と同様なトップトレイ２．１を備え、前記トップトレイ２．１の下部に、環状フッティング２．２が設けられていることで、蓋２がパレット１に合わせて配置される場合、蓋２の環状フッティング２．２がパレット１の水槽エリア４に挿入されて、顔料置きエリア３に封止エリアが形成され、前記顔料置きエリア３にパレットコア５が設けられており、前記トップトレイ２．１の内側面の中心に線香挿入中空柱６がさらに設けられている。
【００１５】
本実施例の好ましい実施形態として、前記外環壁１．３と環状フッティング２．２の高さが同じであり、前記内環壁１．２の高さが外環壁１．３の高さよりも小さく、蓋２がパレット１に合わせて配置される場合、前記環状フッティング２．２の外側面とパレット２の外環壁１．３の内側面とが密接に連結しており、パレット２の外環壁１．３の頂部の横断面とトップトレイ２．１の底面とが密接に連結しており、蓋１の環状フッティング２．２の底部の横断面と水槽エリア４の底面とが密接に連結していることで、環状フッティング２．２が水槽エリア４に挿入されて水封構造及び効果を形成し、水槽エリア４における封水がまた顔料置きエリア３と連通する。
【００１６】
本実施例の好ましい実施形態として、前記絵画パレットが単層硯として用いられる場合、図２に示すように、単層パレット１が蓋２に合わせて封止配置される。
【００１７】
本実施例の好ましい実施形態として、前記絵画パレットが重ねパレットとして用いられる場合、図１に示すように、前記トレイ１．１の下部に、蓋２における環状フッティング２．２の構造と同様なボトムループの支持脚１．４がさらに設けられており、前記ボトムループの支持脚１．４の外側面が外環壁１．３の内側面と相接することで、複数の絵画パレット１が上下に重ねて置かれる場合、上層絵画パレットのボトムループの支持脚１．４が下層絵画パレットの水槽エリア４に挿入され、かつ上層絵画パレットのボトムループの支持脚１．４の外側壁と下層絵画パレット外環壁１．３の内側壁とが密接に連結しており、下層パレットの外環壁１．３の頂部の横断面と上層パレットの底面とが密接に連結しており、上層絵画パレットのボトムループの支持脚１．４の底部横断面と下層パレットの水槽エリア４の底面とが密接に連結していることで、下層パレットの顔料置きエリア３に封止エリアが形成される。
【００１８】
本実施例の好ましい実施形態として、前記パレットコア５が顔料置きエリア３の内面である。
【００１９】
本実施例の好ましい実施形態として、当該絵画パレットが硯として用いられ、かつ従来の墨で磨りその場でインクを製作する場合、前記パレットコア５に墨磨り台７が設けられており、
当該絵画パレットが硯として用いられ、かつ製作されたインクで絵を描き、字を書く場合、前記パレットコアに新月形の筆舐８が設けられている。
【００２０】
本実施例の好ましい実施形態として、前記墨磨り台７の一端の外壁が内環壁１．２又はコアトレイ壁５．２と相接する。
【００２１】
絵画パレットが上下に重ねて置かれる場合、上層絵画パレットのボトムループの支持脚は下層絵画パレットの水槽エリアに挿入し、水を封止媒介として、色、顔料、インクを一つの密閉空間に封止させることができる。水は封止剤でもあり、保湿剤でもある。このような設計では、既存のパレット及び中国の従来の硯が長期間に亘り継続的に使用されない時に保存される色、顔料、インクが固くなるという問題を解決し、長期間にパレットに保存される色、顔料、インクを元通りに保湿でき、残った色、顔料、インクを繰り返して洗浄することによる大きな浪費を避け、大きな経済的利益を有する。当該絵画パレットが硯として用いられ、かつ従来の墨でその場で墨を磨り絵を描き、字を書く場合、顔料置きエリアに墨磨り台が設けられており、墨磨り台及び絵画パレットが一体的に製造され、従来の墨で墨を磨り字を書き、絵を描く者に技術的サポートを提供した。当該パレットが硯として用いられ、かつ直接、製作されたインクで字を書き、絵を描く場合、顔料置きエリアに筆舐が設けられており、ユーザは筆の先を整える必要がある場合、水槽の縁において筆の先を整えることを避け、このように、水槽を清潔に保つことに寄与する。
【００２２】
重ねパレットとして用いられる場合、上から下へ順番に層ごとに取り除かれ、絵画、書道の作業に有利な場所に置かれる。絵画、書道が終了し収納する前に、水槽における水量が適当かどうかをチェックしなければならず、調整後、取り除かれる場合と逆の順番に従い、順に積み重ねる。絵を描き、字を書く過程で線香をあげる必要がある場合、蓋を逆様に置き、線香を線香挿入孔に挿入する。収納する場合、線香の火を消し、線香を引き抜き収納し、線香の灰をきれいに洗浄した後、蓋をすればよい。硯として用いられる場合、硯のパレット部にボトムループの支持脚を設けることなく、ボトムループの支持脚のないパレットを介して蓋に合わせて使用すればよい。また、パレットコアの内壁に、内接円として設けられる墨磨り台が嵌設され、又は表面に１つの筆舐が設けられることで、ユーザが利用しやすくなる。
【００２３】
実施例２
図３及び図４を参照する。本実施例と実施例１との相違点は、前記パレットコア５が内環壁１．２に架設され、前記パレットコア５が顔料置きエリア４の形状に合わせるコアトレイ５．１を備え、前記コアトレイ５．１の周方向に外に向けて内環壁１．２の頂部と合わせる７字状のコアトレイ壁５．２が設けられていることで、パレットコア５が内環壁１．２に架設され、前記コアトレイ５．１の底部とトレイ１．１の上表面との間にキャビティ３．１が形成され、前記内環壁１．２の底部にキャビティ３．１と水槽エリア４を連通させる通水孔１．５が設けられており、前記コアトレイ壁５．２の頂部の横断面から水槽エリア４の底面までの高さが外環壁１．３の高さよりも小さいことである。
【００２４】
本実施例は通水孔を介してキャビティと水槽エリアを連通し、貯水量を大幅に向上すると同時に、水槽の水位をさらに効果的に低減させ、使用しやすくなるとともに、パレットの保湿期間を大幅に向上した。なかでも、本実施例において設けられるパレットコアは、パレットと一体的に鋳造されてもよく、独立の部材として個別に製造されてもよく、日常的に使用する過程で、水槽エリアを定期的に掃除することに寄与し、衛生、防疫、環境美化の要求を満足することができる。
【００２５】
実施例３
図５及び図６を参照する。本実施例と実施例１との相違点は、前記パレットコア５が水槽エリア４に係止され、前記パレットコア５がコアトレイ５．１と、周方向にコアトレイ５．１の外側に設けられるコアトレイ壁５．２とを備え、前記コアトレイ５．１がコアトレイ壁５．２の中部に水平に設けられることで、パレットコア５の断面がＨ字型となり、前記コアトレイ壁５．２の底部が水槽エリア４に挿入し、前記コアトレイ５．１の底部とトレイ１．１の上表面との間にキャビティ３．１が形成され、前記内環壁１．２の底部にキャビティ３．１と水槽エリア４を連通させる通水孔１．５が設けられており、前記コアトレイ壁５．２の高さが外環壁１．３の高さよりも小さいことである。
【００２６】
本実施例におけるパレットコアは可動部材であり、使用時にトレイの水槽エリアに挿入されるものであり、後から水槽エリア及びキャビティエリアを洗浄しやすいようにする。
【００２７】
本考案の形状は何れの形状であってもよく、方形、円形、多角形、瓠形、桃形、横置き古琴形、縁起のよい文字形等の従来の縁起のよい模様が挙げられるが、これらに制限されるものではなく、何れも本考案の保護範囲に属する。そして、封止エリアに置かれる顔料、インクに加えて、保湿が必要とされる他の製品も本考案の保護範囲に属する。
【００２８】
以上、本考案及びその実施の態様を説明したが、この説明は制限性を有せず、添付図面に示されるのも本考案の実施の態様の一つに過ぎず、実際の構造はこれに制限されるものではない。つまり、当業者がその示唆を受け、本考案の創造の趣旨を逸脱することなく、創造性なしに設計された当該技術的手段と同様な構造方式及び実施例、特に水槽封止技術の適用及び複数箇所の断面密着（接着）技術の適用は、全て本考案の保護範囲に属すべきである。
【符号の説明】
【００２９】
１    パレット
１．１    トレイ
１．２    内環壁
１．３    外環壁
１．４    ボトムループの支持脚
１．５    通水孔
２    蓋
２．１    トップトレイ
２．２    環状フッティング
３    顔料置きエリア
３．１    キャビティ
４    水槽エリア
５    パレットコア
５．１    コアトレイ
５．２    コアトレイ壁
６    線香挿入中空柱
７    墨磨り台
８    新月形の筆舐
【図１】
0003227215.tif 000003
【図２】
0003227215.tif 000004
【図３】
0003227215.tif 000005
【図４】
0003227215.tif 000006
【図５】
0003227215.tif 000007
【図６】
0003227215.tif 000008
【図７】
0003227215.tif 000009
【図８】
0003227215.tif 000010